(57)【要約】      （修正有）【課題】発光部を備える携帯型電子機器用のケースにおいて、発光部の本来の機能を損なうことなく、かつ、ケースを十分に発光させる。【解決手段】ケース１０は、携帯型電子機器２０が取り付けられた状態で、携帯型電子機器２０の外側の表面のうち、発光部の周囲を含む特定部分を少なくとも覆う部分が透光性を有するケース本体１００と、ケース本体１００に取り付けられるカバー２００と、カバー２００のケース本体１００と対向する面に配置される第１の反射板３００と、カバー２００に対してケース本体１００を回動可能に固定する回動機構４００と、を備える。カバー２００に対してケース本体１００が固定される位置は、ケース本体１００に取り付けられた携帯型電子機器２０の発光部が第１の反射板３００によって覆われる第１の位置と、ケース本体１００に取り付けられた携帯型電子機器２０の発光部が第１の反射板３００によって覆われない第２の位置と、を含む。【選択図】図４
0003219027.tif 000002
【実用新案登録請求の範囲】
【請求項１】
発光部を備える携帯型電子機器を収容するための携帯型電子機器用ケースであって、
前記携帯型電子機器が取り付けられるケース本体であって、前記携帯型電子機器が取り付けられた状態で、前記携帯型電子機器の外側の表面のうち、前記発光部の周囲を含む特定部分を少なくとも覆う部分が透光性を有する、前記ケース本体と、
前記ケース本体の外側の表面の少なくとも一部を覆うように、前記ケース本体に取り付けられるカバーと、
前記カバーの前記ケース本体と対向する面に配置される第１の反射板と、
前記カバーに対して前記ケース本体を回動可能に固定する回動機構であって、前記カバーに対して前記ケース本体が固定される位置は、前記ケース本体に取り付けられた前記携帯型電子機器の前記発光部が前記第１の反射板によって覆われる第１の位置と、前記ケース本体に取り付けられた前記携帯型電子機器の前記発光部が前記第１の反射板によって覆われない第２の位置と、を含む、前記回動機構と、
を備える、携帯型電子機器用ケース。
【請求項２】
請求項１に記載の携帯型電子機器用ケースであって、
前記カバーは、前記回動機構によって前記ケース本体が取り付けられる第１部分と、前記第１部分と略同一の外形を有する第２部分とを含み、
前記第１部分と前記第２部分との境界部が折り曲げられた状態で、前記第２部分が、前記ケース本体の前記第１部分が取り付けられた側とは反対側を覆い、前記境界部が折り曲げられない状態で、前記第２部分が前記ケース本体から離れる、携帯型電子機器用ケース。
【請求項３】
請求項１または２に記載の携帯型電子機器用ケースであって、
前記携帯型電子機器は、カメラを備え、
前記発光部は、前記カメラのフラッシュライトであり、
前記第２の位置では、前記カメラのレンズおよび前記発光部は、前記カバーによって覆われない、携帯型電子機器用ケース。
【請求項４】
請求項１から３のいずれかに記載の携帯型電子機器用ケースであって、
前記ケース本体は、前記発光部に対応する位置に形成された開口を有し、
前記第１の位置では、前記開口は、前記第１の反射板によって覆われ、
前記第２の位置では、前記開口は、前記第１の反射板によって覆われない、携帯型電子機器用ケース。
【請求項５】
請求項４に記載の携帯型電子機器用ケースであって、
前記ケース本体の外側の面における前記開口の面積は、前記ケース本体の内側の面における前記開口の面積より大きい、携帯型電子機器用ケース。
【請求項６】
請求項４または５に記載の携帯型電子機器用ケースであって、
前記ケース本体において、前記開口に沿う部分の厚さは、前記開口に沿う部分の周囲の厚さより厚い、携帯型電子機器用ケース。
【請求項７】
請求項４から６のいずれかに記載の携帯型電子機器用ケースであって、
前記ケース本体において、前記開口に沿う端面には、前記開口側に突出する１個以上の凸部を含む凹凸形状が形成されている、携帯型電子機器用ケース。
【請求項８】
請求項１から７のいずれかに記載の携帯型電子機器用ケースであって、さらに、
前記ケース本体の内側の表面の少なくとも一部に配置される第２の反射板であって、前記第１の位置において、前記ケース本体の透光性を有する部分を挟んで前記第１の反射板と対向する部分を含む、前記第２の反射板を備える、携帯型電子機器用ケース。
【請求項９】
請求項１から８のいずれかに記載の携帯型電子機器用ケースであって、
前記第１の反射板は、前記ケース本体の透光性を有する部分の長手方向の長さと略同一の幅を有し、
前記第１の位置では、前記ケース本体の透光性を有する部分の少なくとも一部は、前記長手方向の略全長に亘って、前記第１の反射板によって覆われる、携帯型電子機器用ケース。
【考案の詳細な説明】
【技術分野】
【０００１】
本明細書は、スマートフォンなどの携帯型電子機器を支持する携帯型電子機器用ケースに関する。
【背景技術】
【０００２】
スマートフォンなどの携帯型電子機器が落下等によって破損することを防止するためのケースが、知られている（例えば、非特許文献１）。
【０００３】
このケースでは、スマートフォンに搭載されたカメラのフラッシュライトが、透光性を有するケースの対応する部分で覆われる。このために、フラッシュライトから発射された光は、ケース内に導入される。この結果、フラッシュライトから発射された光によって、ケースの全体、特に、ケースの縁部分を発光させることができる。
【先行技術文献】
【特許文献】
【０００４】
【非特許文献１】エレコム株式会社(ELECOM CO.,LTD)、"iPhone 5/5s用シャイニングケース"、製品情報>スマートフォン用アクセサリース>スマートフォン用ケース、[online]、［２０１５年８月１４日検索］、インターネット(ＵＲＬ：http://www2.elecom.co.jp/products/PS-A12PVSBKC.html)
【考案の概要】
【考案が解決しようとする課題】
【０００５】
しかしながら、上記のケースでは、常にフラッシュライトが透光性を有するケースに覆われているので、フラッシュライトとしての本来の機能が十分に発揮できない可能性がある。例えば、フラッシュライトから発射された光の一部は、ケース内に導入されるので、被写体に照射される光の量が低下してしまう。逆に、フラッシュライトとしての本来の機能を優先して、例えば、ケースの光の透過率を高くすれば、ケース内に導入される光の量が低下して十分にケースを発光させることができない可能性がある。このような課題は、カメラのフラッシュライトを備えるスマートフォン用のケースに限らず、発光部を備える携帯型電子機器用のケースに共通する課題であった。
【０００６】
本明細書は、発光部を備える携帯型電子機器用のケースにおいて、発光部の本来の機能を損なうことなく、かつ、ケースを十分に発光させることができる技術を開示する。
【課題を解決するための手段】
【０００７】
本明細書に開示される技術は、以下の適用例として実現することが可能である。
【０００８】
［適用例１］発光部を備える携帯型電子機器を収容するための携帯型電子機器用ケースであって、
前記携帯型電子機器が取り付けられるケース本体であって、前記携帯型電子機器が取り付けられた状態で、前記携帯型電子機器の外側の表面のうち、前記発光部の周囲を含む特定部分を少なくとも覆う部分が透光性を有する、前記ケース本体と、
前記ケース本体の外側の表面の少なくとも一部を覆うように、前記ケース本体に取り付けられるカバーと、
前記カバーの前記ケース本体と対向する面に配置される第１の反射板と、
前記カバーに対して前記ケース本体を回動可能に固定する回動機構であって、前記カバーに対して前記ケース本体が固定される位置は、前記ケース本体に取り付けられた前記携帯型電子機器の前記発光部が前記第１の反射板によって覆われる第１の位置と、前記ケース本体に取り付けられた前記携帯型電子機器の前記発光部が前記第１の反射板によって覆われない第２の位置と、を含む、前記回動機構と、
を備える、携帯型電子機器用ケース。
【０００９】
上記構成の携帯型電子機器用ケースによれば、カバーに対してケース本体が第１の位置にある場合には、発光部からの光が第１の反射板で反射してケース本体の透光性を有する部分に導かれる。この結果、ケース本体を発光させることができる。また、カバーに対してケース本体が第２の位置にある場合には、発光部からの光が透光性を有する部分に導かれないので、発光部は本来の機能を発揮することができる。したがって、発光部の本来の機能を損なうことなく、かつ、ケース本体を十分に発光させることができる。また、第１の位置と第２の位置とは、カバーに対してケース本体を回動させることによって、簡単な操作で切り替えられるので、携帯型電子機器用ケースの利便性を向上できる。
【００１０】
［適用例２］適用例１に記載の携帯型電子機器用ケースであって、
前記カバーは、前記回動機構によって前記ケース本体が取り付けられる第１部分と、前記第１部分と略同一の外形を有する第２部分とを含み、
前記第１部分と前記第２部分との境界部が折り曲げられた状態で、前記第２部分が、前記ケース本体の前記第１部分が取り付けられた側とは反対側を覆い、前記境界部が折り曲げられない状態で、前記第２部分が前記ケース本体から離れる、携帯型電子機器用ケース。
【００１１】
上記構成の携帯型電子機器用ケースによれば、カバーによって、手帳カバーのように、ケース本体を覆うことができるので、便利である。
【００１２】
［適用例３］適用例１または２に記載の携帯型電子機器用ケースであって、
前記携帯型電子機器は、カメラを備え、
前記発光部は、前記カメラのフラッシュライトであり、
前記第２の位置では、前記カメラのレンズおよび前記発光部は、前記カバーによって覆われない、携帯型電子機器用ケース。
【００１３】
上記構成の携帯型電子機器用ケースによれば、カバーに対してケース本体が第２の位置にある場合には、カメラのレンズおよび発光部は、カバーによって覆われない。この結果、ケース本体が第２の位置にある場合には、カメラによる撮影を好適に行うことができる。
【００１４】
［適用例４］適用例１から３のいずれかに記載の携帯型電子機器用ケースであって、
前記ケース本体は、前記発光部に対応する位置に形成された開口を有し、
前記第１の位置では、前記開口は、前記第１の反射板によって覆われ、
前記第２の位置では、前記開口は、前記第１の反射板によって覆われない、携帯型電子機器用ケース。
【００１５】
上記構成によれば、第１の位置では、第１の反射板から反射した光が、開口に沿う端面から、ケース本体の透光性を有する部分に入射するので、ケース本体をより明るく発光させることができる。
【００１６】
［適用例５］適用例４に記載の携帯型電子機器用ケースであって、
前記ケース本体の外側の面における前記開口の面積は、前記ケース本体の内側の面における前記開口の面積より大きい、携帯型電子機器用ケース。
【００１７】
上記構成によれば、ケース本体において、開口に沿う端面の面積を大きくすることができるので、ケース本体の透光性を有する部分に入射する光量を多くすることができる。この結果、ケース本体をより明るく発光させることができる。
【００１８】
［適用例６］適用例４または５に記載の携帯型電子機器用ケースであって、
前記ケース本体において、前記開口に沿う部分の厚さは、前記開口に沿う部分の周囲の厚さより厚い、携帯型電子機器用ケース。
【００１９】
上記構成によれば、開口に沿う端面の面積を大きくすることができるので、透光性を有する部分に入射する光量を多くすることができる。この結果、ケース本体をより明るく発光させることができる。
【００２０】
［適用例７］適用例４から６のいずれかに記載の携帯型電子機器用ケースであって、
前記ケース本体において、前記開口に沿う端面には、前記開口側に突出する１個以上の凸部を含む凹凸形状が形成されている、携帯型電子機器用ケース。
【００２１】
上記構成によれば、開口に沿う端面の面積を大きくすることができるので、透光性を有する部分に入射する光量を多くすることができる。この結果、ケース本体をより明るく発光させることができる。
【００２２】
［適用例８］適用例１から７のいずれかに記載の携帯型電子機器用ケースであって、さらに、
前記ケース本体の内側の表面の少なくとも一部に配置される第２の反射板であって、前記第１の位置において、前記ケース本体の透光性を有する部分を挟んで前記第１の反射板と対向する部分を含む、前記第２の反射板を備える、携帯型電子機器用ケース。
【００２３】
上記構成によれば、ケース本体において、透光性を有する部分内の光が外に漏れることを抑制できる。この結果、透光性を有する部分の他の部分、例えば、側部を明るく発光させることができる。
【００２４】
［適用例９］適用例１から８のいずれかに記載の携帯型電子機器用ケースであって、
前記第１の反射板は、前記ケース本体の透光性を有する部分の長手方向の長さと略同一の幅を有し、
前記第１の位置では、前記ケース本体の透光性を有する部分の少なくとも一部は、前記長手方向の略全長に亘って、前記第１の反射板によって覆われる、携帯型電子機器用ケース。
【００２５】
上記構成によれば、ケース本体の透光性を有する部分の略全体を発光させることができる。
【００２６】
なお、本明細書に開示の技術は、種々の態様で実現することが可能であり、例えば、携帯型電子機器のケース本体を覆うカバー等の態様で実現することができる。
【図面の簡単な説明】
【００２７】
【図１】携帯型電子機器用ケースの一実施例としてのケース１０の斜視図。
【図２】ケース本体１００の斜視図。
【図３】カバー２００の説明図。
【図４】カバー２００に対してケース本体１００が固定される位置について説明する図。
【図５】カバー２００が閉じられた状態のケース１０を示す図。
【図６】レンズ２４およびフラッシュライト２５の近傍の断面図。
【図７】変形例のケース本体１００Ｂの一例を示す図。
【図８】変形例のケース本体１００Ｃの一例を示す図。
【図９】変形例のケース本体１００Ｄの一例を示す図。
【図１０】変形例のケース本体１００Ｅ、１００Ｆの一例を示す図。
【図１１】変形例のケース本体１００Ｇの一例を示す図。
【図１２】変形例のケース本体１００Ｈの一例を示す図。
【考案を実施するための形態】
【００２８】
Ａ．実施例：
Ａ−１：ケース１０の概略構成：
図１は、携帯型電子機器用ケースの一実施例としてのケース１０の斜視図である。図１に示すように、ケース１０は、スマートフォン２０を収容するためのケースである。ケース１０は、例えば、スマートフォン２０用の損傷や汚れの防止や、見栄えを向上等のために、スマートフォン２０用に取り付けられる。
【００２９】
図１等に示すＸ方向の正方向を＋Ｘ方向とも呼び、負方向を−Ｘ方向とも呼ぶ。同様に、Ｙ方向の正方向を＋Ｙ方向とも呼び、負方向を−Ｙ方向とも呼ぶ。また、Ｚ方向の正方向を＋Ｚ方向とも呼び、負方向を−Ｚ方向とも呼ぶ。
【００３０】
スマートフォン２０は、略板状の外観形状を有している。スマートフォン２０の表面（＋Ｚ方向を向いた面）には、液晶パネルなどの表示パネル２２が配置されている。スマートフォン２０は、デジタルカメラ機能を有している。このために、スマートフォン２０の裏面（−Ｚ方向を向いた面）には、デジタルカメラのレンズ２４と、デジタルカメラ用のフラッシュライト２５と、を備えている。より具体的には、レンズ２４とフラッシュライト２５とは、略矩形（略長方形）のスマートフォン２０の裏面の特定の角、具体的には、−Ｘ方向の端、かつ、−Ｙ方向の端に位置する角の近傍に、配置されている。スマートフォン２０の側面には、各種のコネクタやボタンが配置されている。例えば、スマートフォン２０の＋Ｙ方向を向いた側面には、コネクタ２６、２７が配置されており、スマートフォン２０の＋Ｘ方向を向いた側面には、図示しないボタンが配置されている。
【００３１】
ケース１０は、スマートフォン２０の裏面および側面を覆うように、スマートフォン２０に取り付けられるケース本体１００と、ケース本体１００およびケース本体１００に取り付けられたスマートフォン２０を覆うためのカバー２００と、を備えている。
【００３２】
図２を参照して、ケース本体１００の構成について、さらに説明する。図２は、ケース本体１００の斜視図である。ケース本体１００は、スマートフォン２０の外側の表面のうち、裏面および側面を覆い、スマートフォン２０の表面を覆わないトレイ状の形状を有している。具体的には、ケース本体１００は、スマートフォン２０が取り付けられた場合に、スマートフォン２０の裏面を覆う底壁１１０と、スマートフォン２０の側面を覆う側壁１２０、１３０、１４０、１５０と、を備えている。底壁１１０は、スマートフォン２０の裏面とほぼ等しい形状およびサイズを有する薄板である。側壁１２０、１３０、１４０、１５０は、スマートフォンの対応する側面とほぼ等しい形状およびサイズを有する薄板である。ケース本体１００は、光を透過する透光性を有する材料、本実施例では、アクリル樹脂を用いて形成されている。
【００３３】
底壁１１０には、スマートフォン２０のレンズ２４およびフラッシュライト２５に対応する開口ＯＰ１と、後述する回動機構４００にケース本体１００を固定するための角孔ＨＬ１と、が形成されている。開口ＯＰ１は、スマートフォン２０がケース本体１００に取り付けられた状態で、Ｚ方向から見て、レンズ２４およびフラッシュライト２５と重なる位置に形成されている。したがって、スマートフォン２０がケース本体１００に取り付けられた状態で、スマートフォン２０の裏面は、ほぼ全体がケース本体１００によって覆われるが、レンズ２４およびフラッシュライト２５が配置された部分は、ケース本体１００によって覆われない。底壁１１０において、開口ＯＰ１が形成された部分を開口形成部１１４と呼ぶ。角孔ＨＬ１は、底壁１１０の重心に形成された貫通孔である。
【００３４】
側壁１２０、１３０、１４０、１５０には、スマートフォン２０のコネクタやボタン（例えば、図１のコネクタ２６、２７）に対応する複数個の孔ＨＬ２、ＨＬ３、ＨＬ４、ＨＬ５、ＨＬ６が形成されている。この結果、スマートフォン２０がケース本体１００に取り付けられた状態でも、ボタンの操作やコネクタの利用が可能である。
【００３５】
図３を参照して、カバー２００の構成について、さらに説明する。図３は、カバー２００の説明図である。図３（Ａ）には、カバー２００の斜視図が示されている。カバー２００は、ケース本体１００の底壁１１０より僅かに大きなサイズを有する略長方形の薄板状の第１部分２１０と、第１部分２１０と略同一の外形を有する第２部分２２０と、第１部分２１０と第２部分２２０と、の間に位置する部分（境界部分とも呼ぶ）２３０と、固定用バンド２４０と、を備えている。カバー２００は、本実施例では、合成皮革を用いて形成されている。カバー２００は、他の材料、例えば、本革で形成されても良い。
【００３６】
第１部分２１０には、スマートフォン２０のレンズ２４およびフラッシュライト２５に対応する開口ＯＰ２が形成されている。第２部分２２０には、クレジットカードなどのカードを収容するためのカード入れＳＬ１〜ＳＬ３が形成されている。
【００３７】
固定用バンド２４０は、一端が第１部分２１０の外側の表面の−Ｘ方向の端に固定されたバンドである。固定用バンド２４０の他端の近傍には、留め具２４５が配置されている。
【００３８】
第１部分２１０の内側の表面（＋Ｚ方向を向いた表面）、すなわち、第１部分２１０に取り付けられたケース本体１００（図１）の底壁１１０の−Ｚ方向側に位置する表面には、第１の反射板３００が配置されている（図３（Ａ））。第１の反射板３００は、ケース本体１００の底壁１１０と対向する表面が、光を反射する反射面となっている。第１の反射板３００は、第１部分２１０の内側の表面のうち、開口ＯＰ２と、その周辺部分と、後述する回動機構４００が配置された中央部分と、を除いた部分に配置されている。第１の反射板３００は、第１部分２１０の内側の表面に対して、例えば、接着剤や両面テープで固定されている。第１の反射板３００は、例えば、表面にアルミが蒸着された樹脂板によって形成されている。
【００３９】
回動機構４００は、第１部分２１０の内側の表面の中央（重心の位置）に配置されている。図３（Ｂ）には、回動機構４００の図３（Ａ）におけるＡ−Ａ断面が示されている。回動機構４００は、第１部分２１０に接着剤などで固定された固定部４１０と、固定部４１０に回動自在に取り付けられた回動部４２０と、を備えている。
【００４０】
固定部４１０は、Ｚ方向と平行に見た形状が円形の円盤状の形状を有している。固定部４１０の中央部には、Ｚ方向と平行に見た形状が円形の貫通孔４１５が形成されている。貫通孔４１５は、−Ｚ方向側の大径孔４１３と、大径孔４１３より小径で＋Ｚ方向側の小径孔４１２と、を含んでいる。
【００４１】
回動部４２０は、円盤部４２１と、円盤部４２１の＋Ｚ方向を向いた面の中央部から＋Ｚ方向に延びる芯部４２５と、を備えている。芯部４２５は、−Ｚ方向側の円筒部４２３と、＋Ｚ方向側の角筒部４２２と、を備えている。円盤部４２１は、固定部４１０の大径孔４１３の内部に配置され、芯部４２５の円筒部４２３は、固定部４１０の小径孔４１２に挿入されている。この結果、回動部４２０は、固定部４１０に対して、回動自在に取り付けられる。円筒部４２３の角筒部４２２は、固定部４１０の＋Ｚ方向を向いた面より＋Ｚ方向に突出している。
【００４２】
角筒部４２２は、ケース本体１００の底壁１１０に形成された角孔ＨＬ１に、外側から挿入される。これによって、ケース本体１００は、回動機構４００およびカバー２００の第１部分２１０に対して、回動自在に固定される。ケース本体１００が回動する回転軸ＡＸ（図３（Ａ））は、ケース本体１００の角孔ＨＬ１をとおり、Ｚ方向に平行な線である。
【００４３】
図４は、カバー２００に対してケース本体１００が固定される位置について説明する図である。図４（Ａ）は、デジタルカメラを使用するときにセットされる位置（以下、カメラ使用時の位置とも呼ぶ）を示す。図４（Ｂ）は、デジタルカメラを使用しないとき、例えば、電話やメールの着信を待つ待ち受け時にセットされる位置（以下、待ち受け時の位置とも呼ぶ）を示す。
【００４４】
カメラ使用時の位置では、Ｚ軸方向と平行に見て、ケース本体１００の開口ＯＰ１が、カバー２００の第１部分２１０の開口ＯＰ２と、重なる（図４（Ａ））。換言すれば、カメラ使用時の位置では、ケース本体１００に取り付けられたスマートフォン２０のレンズ２４およびフラッシュライト２５が、カバー２００の第１部分２１０の開口ＯＰ２と、重なる（図４（Ａ））。上述したように、第１部分２１０において、開口ＯＰ２と、その近傍の部分は、第１の反射板３００が配置されていない。したがって、図４（Ａ）にてハッチングで示された第１の反射板３００から解るように、カメラ使用時の位置では、Ｚ軸方向と平行に見て、ケース本体１００の開口ＯＰ１や、スマートフォン２０のレンズ２４およびフラッシュライト２５が、第１の反射板３００によって、覆われない。
【００４５】
待ち受け時の位置におけるケース本体１００は、カメラ使用時の位置におけるケース本体１００と比較して、回転軸ＡＸを回転軸として１８０度回動している。待ち受け時の位置では、Ｚ軸方向と平行に見て、ケース本体１００の開口ＯＰ１と、カバー２００の第１部分２１０の開口ＯＰ２とは、重ならない（図４（Ｂ））。待ち受け時の位置では、Ｚ軸方向と平行に見て、ケース本体１００の開口ＯＰ１は、第１の反射板３００によって、覆われている（図４（Ｂ））。換言すれば、図４（Ｂ）にてハッチングで示された第１の反射板３００から解るように、カメラ使用時の位置では、ケース本体１００に取り付けられたスマートフォン２０のレンズ２４およびフラッシュライト２５が、第１の反射板３００によって、覆われている（図４（Ｂ））。
【００４６】
ユーザは、ケース本体１００を、カバー２００の第１部分２１０に対して、手動で回動させることによって、カメラ使用時の位置と、待ち受け時の位置とを、容易に切り替えることができる。
【００４７】
図５は、カバー２００が閉じられた状態のケース１０を示す図である。カバー２００は、図４に示す開かれた状態と、図５に示す閉じられた状態と、を取ることができる。図４の開かれた状態は、第１部分２１０と第２部分２２０との間の境界部分２３０が、折り曲げられていない状態である。開かれた状態では、カバー２００の第１部分２１０によって、ケース本体１００の裏側（底壁１１０の−Ｚ方向を向いた面側）が覆われているが、第２部分２２０は、ケース本体１００およびスマートフォン２０から離れている。開かれた状態では、スマートフォン２０の表示パネル２２が露出するので、ユーザは、スマートフォン２０の操作を行うことができる。デジタルカメラによる撮影は、ケース本体１００がカメラ使用時の位置にセットされ、かつ、カバー２００が開かれた状態で、行われる。
【００４８】
図５のカバー２００が閉じられた状態は、第１部分２１０と第２部分２２０との間の境界部分２３０が、折り曲げられた状態である。閉じられた状態では、カバー２００の第１部分２１０によって、ケース本体１００の裏側（底壁１１０の−Ｚ方向を向いた面側）が覆われ、かつ、第２部分２２０によって、ケース本体１００およびスマートフォン２０の表側（スマートフォン２０の表示パネル２２が配置された面側）が、覆われている。例えば、スマートフォン２０が操作されていないとき、例えば、電話やメールの待ち受け時や持ち運び時には、ケース本体１００が待ち受け時の位置にセットされ、かつ、カバー２００が閉じられた状態にされる。図５に示すように、固定用バンド２４０が折り曲げられ、固定用バンド２４０の留め具２４５が、第２部分２２０の外側の表面に固定された留め具（図示省略）と嵌合することによって、カバー２００は、閉じられた状態に維持される。
【００４９】
次に、フラッシュライト２５が発光した場合について説明する。図６は、レンズ２４およびフラッシュライト２５の近傍の断面図である。図６（Ａ）は、図４（Ａ）のＢ−Ｂ断面を示す図である。この断面は、ケース本体１００がカメラ使用時の位置にある状態において、レンズ２４とフラッシュライト２５を通り、かつ、Ｙ軸と垂直な面で、ケース１０およびスマートフォン２０を切断した断面である。図６（Ｂ）は、図４（Ｂ）のＣ−Ｃ断面を示す図である。この断面は、ケース本体１００が待ち受け時の位置にある状態において、レンズ２４とフラッシュライト２５を通り、かつ、Ｙ軸と垂直な面で、ケース１０およびスマートフォン２０を切断した断面である。
【００５０】
図６（Ａ）に示すように、ケース本体１００の開口ＯＰ１は、開口ＯＰ１を形成する開口形成部１１４の端面１１４ｓ、すなわち、開口ＯＰ１に沿う端面に、フラッシュライト２５から発射された光のほとんどが直接入射しないように、すなわち、フラッシュライト２５の照射範囲を妨げないように、十分に大きく形成されている。さらに、カバー２００の開口ＯＰ２は、ケース本体１００の開口ＯＰ１より大きく、フラッシュライト２５の照射範囲を妨げないように、形成されている。このために、開口ＯＰ１と開口ＯＰ２がＺ軸と平行に見て重なっているカメラ使用時の位置では、フラッシュライト２５からの光が、ケース本体１００、カバー２００、第１の反射板３００によって遮られることなく、被写体に照射される。同様に、開口ＯＰ１およびＯＰ２は、レンズ２４に入射する被写体の光を妨げないように、すなわち、カメラの撮影範囲を妨げないように、十分に大きく形成されている。したがって、カメラ使用時の位置では、レンズ２４とフラッシュライト２５とは、ケース本体１００、カバー２００、第１の反射板３００によって、妨げられることなく、本来の機能を発揮することができる。したがって、スマートフォン２０は、カメラの撮影を問題なく実行することができる。
【００５１】
図６（Ｂ）に示すように、ケース本体１００の開口ＯＰ１が、第１の反射板３００によって覆われている待ち受け時の状態では、フラッシュライト２５から発射された光が、第１の反射板３００によって反射される。この結果、フラッシュライト２５から発射された光は、開口形成部１１４の端面１１４ｓから、透明なケース本体１００に導入される。
【００５２】
ケース本体１００に導入された光は、ケース本体１００の内部を通って、ケース本体１００の側壁１２０、１３０、１４０、１５０、特に、孔ＨＬ２、ＨＬ３、ＨＬ４、ＨＬ５、ＨＬ６が形成された側壁１２０、１３０、１４０、１５０の端面から外部に放出される。この結果、フラッシュライト２５から発射された光によって、ケース本体１００の側壁１２０、１３０、１４０、１５０を発光させることができる。このような発光は、図５に示すカバー２００が閉じられた状態でも、ユーザによって十分に認識することができる。
【００５３】
例えば、スマートフォン２０において、電話やメールの着信時に、フラッシュライト２５が発光するように設定すれば、図５に示すカバー２００が閉じられた状態でも、ケース本体１００の側壁１２０、１３０、１４０、１５０が発光することによって、電話やメールの着信を、ユーザに適切に通知することができる。
【００５４】
以上、説明した本実施例のケース１０によれば、カバー２００に対してケース本体１００が待ち受け時の位置にある場合には、フラッシュライト２５からの光が第１の反射板３００で反射して透明なケース本体１００に導かれる（図６（Ｂ））。この結果、ケース本体１００を発光させることができる。また、カバー２００に対してケース本体１００がカメラ使用時の位置にある場合には、フラッシュライト２５からの光がケース本体１００に導かれないので、フラッシュライト２５は、カメラのフラッシュライトとしての本来の機能を発揮することができる（図６（Ａ））。したがって、フラッシュライト２５の本来の機能を損なうことなく、かつ、ケース本体１００を十分に発光させることができる。また、待ち受け時の位置と、カメラ使用時の位置とは、カバー２００に対してケース本体１００を回動させることによって、簡単な操作で切り替えられるので、ケース１０の利便性を向上できる。
【００５５】
さらに、カバー２００は、第１部分２１０と前記第２部分との境界部分２３０が折り曲げられた状態で、第２部分２２０が、ケース本体１００の第１部分２１０が取り付けられた側（−Ｚ方向側）とは反対側（＋Ｚ方向側）を覆い（図５）、境界部分２３０が折り曲げられない状態で、第２部分２２０がケース本体から離れる（図４）。この結果、カバー２００によって、手帳カバーのように、ケース本体１００を覆うことができるので、スマートフォン２０の携帯に便利である。
【００５６】
さらに、ケース本体１００は、フラッシュライト２５に対応する位置にある開口ＯＰ１が形成された開口形成部１１４を有し、待ち受け時の位置では、開口ＯＰ１は、第１の反射板３００によって覆われ、カメラ使用時の位置では、開口ＯＰ１は、第１の反射板３００によって覆われない。この結果、待ち受け時の位置では、図６（Ｂ）を参照して説明したように、第１の反射板３００によって反射した光が、開口形成部１１４の端面から、ケース本体１００に入射するので、ケース本体１００をより明るく発光させることができる。
【００５７】
さらに、図４（Ａ）、（Ｂ）から解るように、第１の反射板３００は、ケース本体１００の長手方向の長さ（Ｙ方向の長さ）と略同一の幅（Ｙ方向の幅）を有しており、ケース本体１００の裏面は、開口ＯＰ１の近傍を除いて、長手方向の略全長に亘って、第１の反射板３００によって覆われている。この結果、ケース本体１００に導入された光が、ケース本体１００の裏面から外に漏れた場合には、第１の反射板３００による反射によって、漏れた光を、再度、ケース本体１００の内部に導くことができる。従って、ケース本体１００の側壁の略全体を明るく発光させることができる。例えば、ケース本体１００のうち、フラッシュライト２５から離れたＹ方向側の側壁１３０にも光を導くことができ、側壁１３０を明るく発光させることができる。
【００５８】
以上の説明から解るように、本実施例の待ち受け時の位置は、第１の位置の例であり、カメラ使用時の位置は、第２の位置の例である。
【００５９】
Ｂ．変形例：
（１）図７は、変形例のケース本体１００Ｂの一例を示す図である。図７に示すように、本変形例のケース本体１００Ｂの底壁１１０の内側の表面（＋Ｚ方向を向いた面）には、第２の反射板５００が配置されている。第２の反射板５００は、底壁１１０の内側の表面のうち、開口ＯＰ１が形成された部分と、その周辺部分と、を除いた部分に配置されている。第１の反射板３００は、底壁１１０の表面と対向する面（−Ｚ方向を向いた面）が、光を反射する反射面となっている。第２の反射板５００は、第１の反射板３００と同様に、例えば、表面にアルミが蒸着された樹脂板によって形成されている。変形例のケースの他の構成は、実施例と同じである。第２の反射板５００は、底壁１１０の表面（＋Ｚ方向を向いた面）と密着して配置されているので、底壁１１０の内部に導入された光が、底壁１１０の表側から漏れることを、第２の反射板５００による反射によって防ぐことができる。
【００６０】
図７の第２の反射板５００は、底壁１１０とは、別部材とされているが、これに限られない。第２の反射板は、当該第２の反射板から見て底壁１１０側において光を反射することができればよく、例えば、底壁１１０と一体であっても良い。例えば、ケース本体１００Ｂの底壁１１０の内側の表面を、光が反射できるような加工を施してもよい。この場合には、底壁１１０の内側の表面を含む加工された板状の層が、第２の反射板に相当する。さらに、ケース本体１００Ｂの底壁１１０の内側に、ケース本体１００Ｂと屈折率の異なる透明な材料で形成された層を一体成型し、その境界において光を反射させる構成としてもよい。この場合には、屈折率の異なる透明な材料で形成された板状の層が、第２の反射板に相当する。
【００６１】
このように、第２の反射板５００が配置された結果、本変形例では、ケース本体１００が待ち受け時の位置にある場合において、第２の反射板５００は、ケース本体１００Ｂの底壁１１０を挟んで、第１の反射板３００と対向する部分を含む。この結果、透明な底壁１１０は、表側と裏側との両方に反射板が配置された状態になるので、底壁１１０の内部に導入された光が、底壁１１０の表側および裏側から外に漏れることなく、ケース本体１００の側壁１２０、１３０、１４０、１５０に導かれる。この結果、ケース本体１００の側壁１２０、１３０、１４０、１５０をより明るく発光させることができる。
【００６２】
（２）図８は、変形例のケース本体１００Ｃの一例を示す図である。図８（Ａ）には、ケース本体１００Ｃの開口ＯＰ１の近傍を、図４（Ｂ）に示すＣ−Ｃ断面にて切断した図が示されている。図８（Ｂ）には、ケース本体１００Ｃの開口ＯＰ１の近傍を、Ｚ方向に平行に−Ｚ方向側から＋Ｚ方向に向かって見た図が示されている。なお、図８（Ｂ）では、図の煩雑を避けるために、ケース本体１００Ｃのみが図示され、スマートフォン２０、第１の反射板３００、カバー２００の図示は、省略されている。図８（Ｂ）にて、ハッチングされた領域は、開口ＯＰ１が形成された開口形成部１１４Ｃの端面１１４Ｃｓを示している。
【００６３】
本変形例では、開口ＯＰ１が形成された開口形成部１１４Ｃの端面１１４Ｃｓは、内側から外側に向かって（すなわち、＋Ｚ方向から−Ｚ方向に向かって）拡がるように、Ｚ軸に対して傾斜している（図８（Ａ））。すなわち、開口形成部１１４Ｃの外側の面における開口ＯＰ１の幅Ｗ２は、開口形成部１１４Ｃの内側の面における開口ＯＰ１の幅Ｗ１より大きい。Ｃ−Ｃ断面に限らず、開口ＯＰ１の中心を通り、Ｚ方向と平行な任意の面で、開口ＯＰ１の近傍を切断した断面において、幅Ｗ２は、幅Ｗ１より大きい。この結果、図８（Ｂ）に示すように、開口形成部１１４Ｃの外側の面における開口ＯＰ１の面積（図８（Ｂ）のハッチングされた領域の外側の楕円で囲まれた領域の面積）は、開口形成部１１４Ｃの内側の面における開口ＯＰ１の面積（図８（Ｂ）のハッチングされた領域の内側の楕円で囲まれた領域の面積）より大きい。
【００６４】
本変形例によれば、開口形成部１１４Ｃの端面１１４Ｃｓの面積を実施例より大きくすることができるので、透明なケース本体１００Ｃに入射する光量を多くすることができる。この結果、ケース本体１００Ｃをより明るく発光させることができる。
【００６５】
（３）図９は、変形例のケース本体１００Ｄの一例を示す図である。図９では、図８と同様に、ケース本体１００Ｄの開口ＯＰ１の近傍を、図４（Ｂ）に示すＣ−Ｃ断面にて切断した図が示されている。本変形例では、図８のケース本体１００Ｃと同様に、開口ＯＰ１の中心を通り、Ｚ方向と平行な任意の面で、開口ＯＰ１の近傍を切断した断面において、幅Ｗ２は、幅Ｗ１より大きい。さらに、開口形成部１１４Ｄの端面１１４Ｄｓは、開口ＯＰ１側に突出する複数個の凸部ＳＰと、複数個の凹部ＣＰと、を含んでいる。このために、開口形成部１１４Ｄの端面１１４Ｄｓには、凹凸形状が形成されている。
【００６６】
本変形例によれば、開口ＯＰ１を形成する開口形成部１１４Ｄの端面１１４Ｄｓの面積を実施例より大きくすることができるので、透明なケース本体１００Ｄに入射する光量を多くすることができる。この結果、ケース本体１００Ｄを、さらに明るく発光させることができる。
【００６７】
なお、開口形成部１１４Ｄの端面１１４Ｄｓには、少なくとも１個以上の凸部ＳＰを含む凹凸形状が形成されていれば良い。こうすれば、開口形成部の端面が平坦である場合と比較して、開口形成部１１４Ｄの端面１１４Ｄｓの面積を大きくすることができる。
【００６８】
（４）図１０は、変形例のケース本体１００Ｅ（図１０（Ａ））、１００Ｆ（図１０（Ｂ））の一例を示す図である。図１０（Ａ）、（Ｂ）には、図８（Ｂ）と同様に、ケース本体１００Ｅ、１００Ｆの開口ＯＰ１の近傍を、Ｚ方向に平行に−Ｚ方向側から＋Ｚ方向に向かって見た図が示されている。図１０（Ａ）、（Ｂ）にて、ハッチングされた領域は、開口ＯＰ１が形成された開口形成部１１４Ｅ、１１４Ｆの端面１１４Ｅｓ、１１４Ｆｓを示している。
【００６９】
図１０（Ａ）、（Ｂ）の１００Ｅ、１００Ｆでは、図８のケース本体１００Ｃと同様に、開口ＯＰ１の中心を通り、Ｚ方向と平行な任意の面で、開口ＯＰ１の近傍を切断した断面において、幅Ｗ２は、幅Ｗ１より大きい。したがって、図１０（Ａ）、（Ｂ）の１００Ｅ、１００Ｆでは、開口形成部１１４Ｅ、１００Ｆの外側の面における開口ＯＰ１の面積（図１０（Ａ）、（Ｂ）のハッチングされた領域の外側の線で囲まれた領域の面積）は、開口形成部１１４Ｅ、１００Ｆの内側の面における開口ＯＰ１の面積（図１０（Ａ）、（Ｂ）のハッチングされた領域の内側の線で囲まれた領域の面積）より大きい。
【００７０】
図１０（Ａ）のケース本体１００Ｅの端面１１４Ｅｓには、略楕円の開口ＯＰ１の周方向と略垂直に延びる複数本の谷線Ｌ１（破線）と、複数本の稜線Ｌ２（実線）と、を有する複数個の溝部ＣＬが形成されている。換言すれば、複数個の溝部ＣＬは、略楕円の端面１１４Ｅｓ上に、平歯車状に形成されている。この結果、端面１１４Ｅｓには、複数個の溝部ＣＬによって、稜線Ｌ２の位置にある複数個の凸部と、谷線Ｌ１の位置にある複数個の凹部と、を含む凹凸形状が形成されている。稜線Ｌ２と垂直な面で凸部を切断した断面は、略三角形となっている。
【００７１】
図１０（Ｂ）のケース本体１００Ｆの端面１１４Ｆｓには、図１０（Ａ）と同様に、複数本の谷線Ｌ１ｂ（破線）と、複数本の稜線Ｌ２ｂ（実線）と、を有する複数個の溝部ＣＬｂが形成されている。ただし、図１０（Ｂ）の端面１１４Ｆｓでは、図１０（Ａ）と異なり、複数本の谷線Ｌ１ｂと、複数本の稜線Ｌ２ｂとは、曲線となっている。換言すれば、複数個の溝部ＣＬｂは、略楕円の端面１１４Ｆｓ上に、はすば歯車状に形成されている。この結果、端面１１４Ｆｓには、複数個の溝部ＣＬｂによって、稜線Ｌ２ｂの位置にある複数個の凸部と、谷線Ｌ１ｂの位置にある複数個の凹部と、を含む凹凸形状が形成されている。
【００７２】
本変形例によれば、開口ＯＰ１を形成する開口形成部１１４Ｅ、１１４Ｆの端面１１４Ｅｓ、１１４Ｆｓの面積を実施例より大きくすることができるので、透明なケース本体１００Ｅ、１００Ｆに入射する光量を多くすることができる。この結果、ケース本体１００Ｅ、１００Ｆを、さらに明るく発光させることができる。
【００７３】
（５）図１１は、変形例のケース本体１００Ｇの一例を示す図である。図１１には、ケース本体１００Ｇの開口ＯＰ１の近傍を、Ｚ方向に平行に−Ｚ方向側から＋Ｚ方向に向かって見た図が示されている。本変形例では、図８〜図１０のケース本体１００Ｃ、１００Ｄ、１００Ｅ、１００Ｆと異なり、開口ＯＰ１を形成する開口形成部１１４Ｇの端面１１４Ｇｓは、Ｚ方向と平行である。そして、開口形成部１１４Ｇの端面１１４Ｇｓは、Ｚ方向に平行に見て、開口ＯＰ１側に突出する複数個の凸部ＳＰと、複数個の凹部ＣＰと、を含む凹凸形状が形成されている。なお、破線Ｌ３は、実施例の開口ＯＰ１を形成する端面１１４ｓ（図６（Ａ）、（Ｂ））を参考のために示す線である。
【００７４】
本変形例によれば、開口ＯＰ１を形成する開口形成部１１４Ｇの端面１１４ＧｓをＺ方向に平行に見た場合の線長が、実施例より長くなっている。したがって、開口形成部１１４Ｇの端面１１４Ｇｓの面積を実施例より大きくすることができるので、透明なケース本体１００Ｇに入射する光量を多くすることができる。この結果、ケース本体１００Ｇを、さらに明るく発光させることができる。
【００７５】
なお、上記の変形例（３）と同様に、開口形成部１１４Ｇの端面１１４Ｇｓには、少なくとも１個以上の凸部ＳＰを含む凹凸形状が形成されていれば良い。こうすれば、開口形成部の端面が平坦である場合と比較して、開口形成部１１４Ｇの端面１１４Ｇｓの面積を大きくすることができる。
【００７６】
（６）図１２は、変形例のケース本体１００Ｈの一例を示す図である。図１２（Ａ）には、ケース本体１００Ｈの開口ＯＰ１の近傍を、図４（Ｂ）に示すＣ−Ｃ断面にて切断した図が示されている。図１２（Ｂ）には、ケース本体１００Ｈの開口ＯＰ１の近傍を、Ｚ方向に平行に−Ｚ方向側から＋Ｚ方向に向かって見た図が示されている。なお、図１２（Ｂ）では、図の煩雑を避けるために、ケース本体１００Ｈのみが図示され、スマートフォン２０、第１の反射板３００、カバー２００の図示は、省略されている。図１２（Ｂ）にて、ハッチングされた領域は、開口ＯＰ１が形成された開口形成部１１４Ｈを示している。図１２（Ａ）に示すように、ケース本体１００Ｈの開口ＯＰ１が形成されている開口形成部１１４Ｈの厚さ、すなわち、開口ＯＰ１に沿う部分の厚さ（Ｚ方向の長さ）は、ケース本体１００Ｈの他の部分（具体的には、開口形成部１１４Ｈの周囲の部分）の厚さより、厚い。
【００７７】
本変形例によれば、開口ＯＰ１を形成する開口形成部１１４Ｈの端面１１４Ｈｓの面積を実施例より大きくすることができるので、ケース本体１００Ｈに入射する光量を多くすることができる。この結果、ケース本体１００Ｈをより明るく発光させることができる。
【００７８】
なお、本変形例では、図１２（Ａ）に示すように、厚さが周囲より厚い開口形成部１１４Ｈに対応して、第１の反射板３００Ｈには、待ち受け時の位置において、開口形成部１１４ＨとＺ方向に重なる位置に、凹部３１１Ｈが形成されている。そして、第１の反射板３００Ｈの凹部３１１Ｈに対応して、カバー２００Ｈには、凹部３１１ＨとＺ方向に重なる位置に、凹部２１１Ｈが形成されている。この結果、厚さが周囲より厚い開口形成部１１４Ｈが形成されても、カバー２００の外側の面（−Ｚ方向を向いた面）を平坦に保つことができる。また、開口形成部１１４Ｈが、凹部３１１Ｈに嵌ることによって、待ち受け時の位置において、ケース本体１００Ｈがカバー２００に対して、適切に固定される。
【００７９】
（７）上記実施例では、ケース本体１００の全体が光を透過する透明な材料で形成されている。すなわち、ケース本体１００の全体が、透光性の透光部である。これに変えて、ケース本体の一部分だけが、透光性の材料で形成された透光性の透光部であっても良い。ケース本体のうち、少なくともスマートフォン２０が取り付けられた状態で、スマートフォン２０のフラッシュライト２５の周囲を含む一部分を少なくとも覆う部分が、透光性の透光部であればよい。例えば、図２（Ａ）、または、図２（Ｂ）のケース本体１００のうち、Ｙ軸方向の中心から−Ｙ方向の半分（開口ＯＰ１が形成されている側の半分）だけが光を透過する透明な材料で形成され、Ｙ軸方向の中心から＋Ｙ方向の半分（開口ＯＰ１が形成されていない側の半分）は、光を透過しない不透明な材料で形成されていても良い。この場合には、待ち受け時の位置において、フラッシュライト２５が発光した場合に、ケース本体１００のうち、透明な材料で形成された半分が発光する。
【００８０】
または、図２（Ａ）、または、図２（Ｂ）のケース本体１００のうち、図５に示す状態、すなわち、待ち受け位置の状態で、かつ、カバー２００が閉められた状態で、カバー２００の境界部分２３０で覆われている側壁１４０は、発光したとしても図５に示す状態で外部から見えない。このような場合、例えば、ケース本体１００のうち、側壁１４０、および、側壁１４０の近傍（ただし、開口ＯＰ１の近傍は除く）は、光を透過しない不透明な材料で形成され、図５に示す状態で外部に露出する側壁１２０、１３０、１５０は、光を透過する透明な材料で形成されていても良い。こうすれば、外部から見えない部分に光が分散することが抑制され、外部に露出している部分に集中的に光が導かれる。したがって、ケース本体１００のうち、外部に露出している部分をより効率的に発光させることができる。
【００８１】
（８）上記実施例では、カバー２００は、ケース本体１００の裏側（−Ｚ方向側）と、表側（＋Ｚ方向側）との両方を覆う手帳側のカバーであるが、これに限られない。カバーは、ケース本体１００の裏面（−Ｚ方向を向いた面）だけを覆う樹脂性のカバーであっても良い。
【００８２】
（９）上記実施例のケース本体１００に形成された開口ＯＰ１は、無くても良い。例えば、実施例において、ケース本体１００の開口ＯＰ１が形成されている部分は、例えば、フラッシュライト２５からの光が被写体に照射されることを妨げないように、十分に薄く、かつ、十分に透明な薄板で形成されていても良い。
【００８３】
（１０）上記実施例のケース１０は、スマートフォン２０を収容するためのケースであるが、これに限られない。ケース１０に収容される機器は、携帯型のカーナビゲーション装置や音楽プレーヤーなどの他の携帯型電子機器であっても良い。また、本実施例では、携帯型電子機器の発光部は、カメラのフラッシュライトであるが、これに限られない。例えば、発光部は、例えば、カメラのフラッシュライトとは異なる用途（例えば、暗所での照明）にて用いられるライトであっても良い。
【００８４】
（１１）上記実施例のケース本体１００は、アクリルで形成されているが、これに限られない。これに代えて、ケース本体１００は、ポリカーボネイト、ガラス、導光部材として利用されているアクリル系熱可塑性エラストマー（例えば、クラレ社製の「クラリティ（登録商標）」）などの他の透光性を有する材料で形成されていても良い。
【００８５】
（１２）上記実施例の第１の反射板３００の反射面、特に、待ち受け時の位置において、ケース本体１００の開口ＯＰ１を覆う部分には、特定色（例えば、赤、緑、黄）を有する半透明のシート（例えば、極薄いビニルシート））が貼り付けられてもよい。こうすれば、ケース本体１００を特定色に発光させることができる。このようなシートは、複数色について用意され、ユーザが任意に貼り替えることが可能であっても良い。また、半透明のシートに代えて、第１の反射板３００の表面に直接に着色が行われても良い。例えば、蒸着、塗装、着色アルマイト加工などの方法で、第１の反射板３００の表面に着色が行われ得る。あるいは、第１の反射板３００は、開口ＯＰ１を覆う部分を、回転やスライドなどの切替機構によって切り替え可能なパーツで構成されても良い。そして、該パーツには、複数色の反射板が設けられ、該パーツを回転またはスライドさせることで、反射板のうち、開口ＯＰ１を覆う部分の色を切り替え可能に構成されても良い。
【００８６】
以上、実施例、変形例に基づき本考案について説明してきたが、上記した考案の実施の形態は、本考案の理解を容易にするためのものであり、本考案を限定するものではない。本考案は、その趣旨並びに実用新案登録請求の範囲を逸脱することなく、変更、改良され得ると共に、本考案にはその等価物が含まれる。
【符号の説明】
【００８７】
１０...ケース、２０...スマートフォン、２２...表示パネル、２４...レンズ、２５...フラッシュライト、２６...コネクタ、１００、１００Ｂ、１００Ｃ、１００Ｄ、１００Ｅ、１００Ｆ...ケース本体、１１０...底壁、１１４、１１４Ｃ、１１４Ｄ、１１４Ｅ、１１４Ｆ...開口形成部、１２０、１３０、１４０、１５０...側壁、２００、２００Ｆ...カバー、２１０...第１部分、２２０...第２部分、２３０...境界部分、２４０...固定用バンド、２４５...留め具、３００、３００Ｆ...第１の反射板、３１１Ｆ...凹部、４００...回動機構、４１０...固定部、４１２...小径孔、４１３...大径孔、４１５...貫通孔、４２０...回動部、４２１...円盤部、４２２...角筒部、４２３...円筒部、４２５...芯部、５００...第２の反射板、ＳＰ...凸部、ＣＰ...凹部、ＯＰ１、ＯＰ２...開口
【図１】
0003219027.tif 000003
【図２】
0003219027.tif 000004
【図３】
0003219027.tif 000005
【図４】
0003219027.tif 000006
【図５】
0003219027.tif 000007
【図６】
0003219027.tif 000008
【図７】
0003219027.tif 000009
【図８】
0003219027.tif 000010
【図９】
0003219027.tif 000011
【図１０】
0003219027.tif 000012
【図１１】
0003219027.tif 000013
【図１２】
0003219027.tif 000014